(57)【要約】【課題】骨壷を骨箱本体の壁面にぴったり収納でき、後からズレたりしない構造を維持しつつ、骨壷の収納作業を安全かつ容易に実施できるようにした骨箱を提供する。【解決手段】左右上壁板２，３，４と底板５と後壁板６とを具備する前方開放の筐体７と、筐体７の前部を開閉すべく、左右壁板２，３の前端に夫々蝶番８，８…にて取り付けられる左右扉板９，１０と、左右扉板９，１０を閉じた状態に保持するカンヌキ１１とを備え、内部に骨壷２１を収納できるように構成された骨箱１を提供する。【選択図】図２
2009219651.tif 000002
【特許請求の範囲】
【請求項１】
左右上壁板と底板と後壁板とを具備する前方開放の筐体と、
前記筐体の前部を開閉すべく、前記左右壁板の前端に夫々開閉自在に取り付けられる左右扉板と、
前記左右扉板を閉じた状態に保持する保持手段とを備え、内部に骨壷を収納できるように構成されたことを特徴とする骨箱。
【請求項２】
左右上壁板と底板と後壁板とを具備する前方開放の筐体と、
前記筐体の前部を開閉すべく、前記左右壁板の前端に夫々開閉自在に取り付けられる左右扉体と、
前記左右扉体を閉じた状態に保持する保持手段とを備え、内部に骨壷を収納できるように構成された骨箱であって、
前記左扉体は、前記左壁板と前記上壁板の左半部とを前方に所定長さ延設させる如く形成した夫々単板からなる左壁前板と左半部上壁前板と、前記筐体の前面左半部を被蔽する如く形成した左半部前面板とを備え、前記左壁前板の上端と前記左半部上壁前板の左端とを固着し、前記左壁前板と前記左半部上壁前板との前端に前記左半部前面板を固着して形成されてなり、
前記右扉体は、前記右壁板と前記上壁板の右半部とを前方に所定長さ延設させる如く形成した夫々単板からなる右壁前板と右半部上壁前板と、前記筐体の前面右半部を被蔽する如く形成した右半部前面板とを備え、前記右壁前板の上端と前記右半部上壁前板の右端とを固着し、前記右壁前板と前記右半部上壁前板との前端に前記右半部前面板を固着して形成されてなり、
前記底板は、前記左右扉体が閉じた状態の前記左右扉体前端位置まで延設されることを特徴とする骨箱。
【発明の詳細な説明】
【技術分野】
【０００１】
本発明は、骨壷を骨箱本体の壁面にぴったり収納でき、後からズレたりしない構造を維持しつつ、骨壷の収納作業を安全かつ容易に実施できるようにした骨箱に関する。
【背景技術】
【０００２】
従来のこの種の技術は、下記のようになっている。
葬儀では、火葬場で故人の遺骨を拾い上げ骨壷に入れて、最後に骨壷を骨箱に収納する。
図９及び図１０に示すように、従来の一般的な骨箱６１は、骨壷６２を出し入れするための蓋（蓋箱）６３が上方開放の骨箱本体６４の上部に設けられ、また、ズレ防止目的で骨壷６２が骨箱本体６４の内壁面にぴったり納まるような寸法となっている。例えば、骨箱６１は、縦２１ｃｍ×横２１ｃｍ×高２４ｃｍの箱型に形成され、深さ１ｃｍ程度の蓋６３が骨箱本体６４の上部に付されている。
【０００３】
然しながら、前記骨箱本体６４は、前述したように、骨壷６２が内壁面にぴったり納まるような寸法となっており、更に、骨壷６２よりも１〜２ｃｍ高くなっているため、空の骨壷６２を骨箱本体６４から取り出す時は、通常は骨壷６２の蓋を取って、骨壷６２の本体を数本の指で摘んで持ち上げることができるが、骨を入れた骨壷６２を骨箱本体６４に収納する時、骨壷６２を持つ手と指が骨壷６２と骨箱本体６４の内側に入る隙間がなく、骨壷６２を持つ手や指が骨箱本体６４の壁面とぶつかった時点で（骨壷６２の底面が骨箱本体６４の底面に到達する前に）、手や指を骨壷６２から離して骨壷６２を落下させることになり、厳粛な葬儀式の場に相応しくない騒音を発生させたり、又、大切な骨壷６２を破損させる虞があった。
尚、この種従来の先行文献として、例えば、特許文献１があり、特許文献１には骨壷を収める蓋体付きの角形骨箱が記載されている。
【特許文献１】特開２００２−６５７６９号公報
【発明の開示】
【発明が解決しようとする課題】
【０００４】
前述したように、従来の一般的な骨箱は、骨壷を骨箱本体に収納する場合に、手や指が骨箱本体の壁面とぶつかった時点で骨壷を落下させることになり、騒音を発生させたり、又、骨壷を破損させる虞があった。そして、特許文献１も同様の虞があると思われる。
【０００５】
以上の現状に鑑み、本発明は、骨壷を骨箱本体の壁面にぴったり収納でき、後からズレたりしない構造を維持しつつ、骨壷の収納作業を安全かつ容易に実施できるようにした骨箱を提供することを目的とする。
【課題を解決するための手段】
【０００６】
上記の課題を解決すべく、本発明は以下の構成を提供する。
請求項１に係る発明は、左右上壁板と底板と後壁板とを具備する前方開放の筐体と、
前記筐体の前部を開閉すべく、前記左右壁板の前端に夫々開閉自在に取り付けられる左右扉板と、
前記左右扉板を閉じた状態に保持する保持手段とを備え、内部に骨壷を収納できるように構成されたことを特徴とする骨箱を提供するものである。
【０００７】
請求項２に係る発明は、左右上壁板と底板と後壁板とを具備する前方開放の筐体と、
前記筐体の前部を開閉すべく、前記左右壁板の前端に夫々開閉自在に取り付けられる左右扉体と、
前記左右扉体を閉じた状態に保持する保持手段とを備え、内部に骨壷を収納できるように構成された骨箱であって、
前記左扉体は、前記左壁板と前記上壁板の左半部とを前方に所定長さ延設させる如く形成した夫々単板からなる左壁前板と左半部上壁前板と、前記筐体の前面左半部を被蔽する如く形成した左半部前面板とを備え、前記左壁前板の上端と前記左半部上壁前板の左端とを固着し、前記左壁前板と前記左半部上壁前板との前端に前記左半部前面板を固着して形成されてなり、
前記右扉体は、前記右壁板と前記上壁板の右半部とを前方に所定長さ延設させる如く形成した夫々単板からなる右壁前板と右半部上壁前板と、前記筐体の前面右半部を被蔽する如く形成した右半部前面板とを備え、前記右壁前板の上端と前記右半部上壁前板の右端とを固着し、前記右壁前板と前記右半部上壁前板との前端に前記右半部前面板を固着して形成されてなり、
前記底板は、前記左右扉体が閉じた状態の前記左右扉体前端位置まで延設されることを特徴とする骨箱を提供するものである。
【発明の効果】
【０００８】
本発明の請求項１記載の発明によれば、骨壷を骨箱本体の壁面にぴったり収納でき、後からズレたりしない構造を維持しつつ、骨壷の収納作業を騒音を発生させることなく安全かつ容易に実施できるようにした骨箱を提供することができる。
【０００９】
請求項２記載の発明によれば、請求項１記載の発明の効果に加え、左右扉体が開くことにより、左右扉体の左右壁前板と、左右半部上壁前板とが開き、骨箱の左右上部の前部が大きく開放するので骨壷の収納作業が更に安全かつ容易になると共に、左右扉体を開放した時に、立体的な左右扉体により、重厚感を演出することができる。
【発明を実施するための最良の形態】
【００１０】
以下、実施例を示した図面を参照しつつ本発明の実施の形態を説明する。
図１に於いて、１は、骨壷を収納するための本発明の第１実施例の骨箱であり、骨箱１は、左右上壁板２，３，４と底板５と後壁板６とを具備する前方開放の筐体７と、筐体７の左右前部を開閉すべく、左右壁板２，３の前端に夫々２つの蝶番８，８…にて取り付けられる左右扉体である左右扉板９，１０と、左右扉板９，１０を閉じた状態に保持する保持手段であるカンヌキ１１とを備えている。
【００１１】
骨箱１は閉じた状態で、骨壷（図３に於いて２１）が内壁面にぴったり収納できるような大きさに形成される。
カンヌキ１１は、図示の如く、中央部に摘み１１ａがついた摺動体１１ｂと、摺動体１１ｂを案内摺動させるための左右の摺動案内体１１ｃ，１１ｄとからなる市販品を用いることができ、左右の摺動案内体１１ｃ，１１ｄが夫々左右扉板９，１０の先端中央部に取り付けられる。
【００１２】
尚、前記左右扉板９，１０を閉じた時、左右扉板９，１０の動作を閉じ状態で停止させる図４に示すストッパー１２が前記上壁板４の前端下面の中央部に設けられ、左扉板９の右上端後面と、右扉板１０の左上端後面とが、ストッパー１２に当接して左右扉板９，１０の回転が停止するように構成されている。
【００１３】
図２は、前記骨箱１を開いた状態を示している。この時、カンヌキ１１は、右扉板１０の摺動案内体１１ｄから外れ、左扉板９の摺動案内体１１ｃに係合している。
同図を用いて、骨箱１の使用方法を説明すると、先ず、左右扉板９，１０が開かれた状態で、骨壷２１を骨箱１の前方から骨箱１内に収納する。
この時、骨壷２１の左右側面を両手で把持して骨壷２１を骨箱１の底板５上に載せ、骨壷２１を骨箱１の奥内に移動させれば、骨壷２１が骨箱１内に収納される。
次に、左右扉板９，１０を閉じると、左右扉板９，１０は、ストッパー１２に当接して閉じ位置で回転停止する。
そして、前記カンヌキ１１の摘み１１ａを摘んで摺動体１１ｂを摺動させ、摺動体１１ｂの右端部を右の摺動案内体１１ｄ内に挿入して貫通させれば、骨壷２の骨箱１への収納作業は終了する。
【００１４】
図３及び図４は、骨壷２１が骨箱１内に収納された状態を示している。骨壷２１は、骨箱１内の内壁面にぴったり収納され、後からズレたりすることもない。
【００１５】
図５に於いて、３１は、骨壷を収納するための本発明の第２実施例の骨箱であり、骨箱３１は、左右上壁板３２，３３，３４と底板３５と後壁板３６とを具備する前方開放の筐体３７と、筐体３７の前部を開閉すべく、左右壁板３２，３３の前端に夫々蝶番３８にて取り付けられる左右扉体３９，４０と、左右扉体３９，４０を閉じた状態に保持する保持手段としてのカンヌキ４１とを備えたものである。
【００１６】
骨箱３１は閉じた状態で、骨壷（図７に於いて２１）が内壁面にぴったり収納できるような大きさに形成される。
そして、前記左扉体３９は、左壁板３２と上壁板３４の左半部とを前方に所定長さ延設させる如く形成した夫々単板からなる左壁前板５１と左半部上壁前板５２と、筐体３７の前面左半部を被蔽する如く形成した左半部前面板５３とを備え、左壁前板５１の上端と左半部上壁前板５２の左端とを固着し、左壁前板５１と左半部上壁前板５２との前端に左半部前面板５３を固着して形成される。
【００１７】
同様に、右扉体４０は、右壁板３３と上壁板３４の右半部とを前方に所定長さ延設させる如く形成した夫々単板からなる右壁前板５４と右半部上壁前板５５と、筐体３７の前面右半部を被蔽する如く形成した右半部前面板５６とを備え、右壁前板５４の上端と右半部上壁前板５５の右端とを固着し、右壁前板５４と右半部上壁前板５５との前端に右半部前面板５６を固着して形成される。
【００１８】
そして、蝶番３８，３８…の前端部は、左右扉体３９，４０の左右壁前板５１，５４の後端部に取り付けられ、底板３５は、左右扉体３９，４０が閉じた状態の左右扉体３９，４０前端位置まで延設される。
カンヌキ４１は、図示の如く、中央部に摘み４１ａがついた摺動体４１ｂと、摺動体４１ｂを案内摺動させるための左右の摺動案内体４１ｃ，４１ｄとからなる市販品を用いることができ、左右の摺動案内体４１ｃ，４１ｄが夫々左半部前板５３の右端中央部、右半部前板５６の左端中央部に取り付けられる。
【００１９】
尚、前記蝶番３８、カンヌキ４１は、前記骨箱１に用いた前記蝶番８、カンヌキ１１と同様のものであっても良い。
又、前記骨箱３１に於いては、前記第１実施例の骨箱１に於けるストッパー１２は不要である。
【００２０】
骨箱３１の使用方法を説明すると、先ず、図６に示すように、左右扉体３９，４０が開かれた状態で、骨壷２１を骨箱３１の前方から骨箱３１内に収納する。
同図に示すように、左右扉体３９，４０が開かれた状態では、左右扉体３９，４０の左右壁前板５１，５４と、左右半部上壁前板５２，５５とが開き、骨箱３１の左右上部の前部が広く開放し、底部３５の前部が前方にせり出した状態になるので骨壷２１の収納作業が更に安全かつ容易になる。
この時、骨壷２１の左右側面を両手で把持して骨壷２１を骨箱３１の底板５上に載せ、骨壷２１を骨箱３１の奥内に移動させれば、骨壷２１が骨箱３１内に収納される。
骨箱３１に於いては、骨壷２１を骨箱３１の奥内に移動させる距離も比較的少なくて済む。
次に、左右扉体３９，４０を閉じると、左右扉体３９，４０は、蝶番３８，３８…を支点に回転し、左半部上壁前板５２の後端が上壁板３４の前端に当接して左扉体３９が停止し、右半部上壁前板５５の後端が上壁板３４の前端に当接して右扉体４０が停止する。
【００２１】
そして、前記カンヌキ４１の摘み４１ａを摘んで摺動体４１ｂを摺動させ、摺動体４１ｂの右端部を右の摺動案内体４１ｄ内に挿入して貫通させれば、骨壷２１の骨箱３１への収納作業は終了する。
【００２２】
図７及び図８は、骨壷２１が骨箱３１内に収納された状態を示している。骨壷２１は、骨箱３１内の内壁面にぴったり収納され、後からズレたりすることもない。
尚、前記骨箱１，３１に於いて、保持手段としてカンヌキ１１，４１を用いたが、これに代えて、例えば、磁石や市販の係止具等を用いて左右扉板９，１０、左右扉体３９，４０を閉じた状態に保持する等、その他の保持手段を用いることも可能である。
又、前記蝶番８，３８に代えてその他の開閉用金具を用いることも可能である。
【図面の簡単な説明】
【００２３】
【図１】本発明による第１実施例の骨箱の斜視図である。
【図２】本発明による第１実施例の骨箱の扉板を開いて骨壷を収納する前の状態を示す斜視図である。
【図３】本発明による第１実施例の骨箱に骨壷を収納した状態を示す平面断面図である。
【図４】本発明による第１実施例の骨箱に骨壷を収納した状態を示す正面縦断面図である。
【図５】本発明による第２実施例の骨箱の斜視図である。
【図６】本発明による第２実施例の骨箱の扉体を開いて骨壷を収納する前の状態を示す斜視図である。
【図７】本発明による第２実施例の骨箱に骨壷を収納した状態を示す平面断面図である。
【図８】本発明による第２実施例の骨箱に骨壷を収納した状態を示す正面縦断面図である。
【図９】従来例の蓋を取った状態の骨箱本体に骨壷を収納した状態を示す平面図である。
【図１０】従来例の骨箱に骨壷を収納した状態を示す正面縦断面図である。
【符号の説明】
【００２４】
１，３１  骨箱
２，３２  左壁板
３，３３  右壁板
４，３４  上壁板
５，３５  底板
６，３６  後壁板
７，３７  筐体
８，３８  蝶番
９  左扉板
１０  右扉板
２１  骨壷
３９  左扉体
４０  右扉体
５１  左壁前板
５２  左半部上壁前板
５３  左半部前面板
５４  右壁前板
５５  右半部上壁前板
５６  右半部前面板
【図１】
2009219651.tif 000003
【図２】
2009219651.tif 000004
【図３】
2009219651.tif 000005
【図４】
2009219651.tif 000006
【図５】
2009219651.tif 000007
【図６】
2009219651.tif 000008
【図７】
2009219651.tif 000009
【図８】
2009219651.tif 000010
【図９】
2009219651.tif 000011
【図１０】
2009219651.tif 000012